(57)【要約】【課題】一般便器でも容易に排尿量を測定することができる排尿量測定装置を提供すること。【解決手段】本開示の一態様に係る排尿量測定装置は、洋風大便器のボウル内に排泄される尿の少なくとも一部を分取して排尿量を測定する排尿量測定装置であって、鍔部と、尿捕集部と、測定部とを備える。鍔部は、洋風大便器のリムの上面に載置される。尿捕集部は、鍔部に取り付けられ、ボウル内に配置されて尿を捕集する。測定部は、リムに係止され、鍔部の下面と当接して押圧されることによって尿捕集部に捕集された尿の重量を測定する。【選択図】図３
2019148444.tif 000002
【特許請求の範囲】
【請求項１】
洋風大便器のボウル内に排泄される尿の少なくとも一部を分取して排尿量を測定する排尿量測定装置であって、
前記洋風大便器のリムの上面に載置される鍔部と、
前記鍔部に取り付けられ、前記ボウル内に配置されて前記尿を捕集する尿捕集部と、
前記リムに係止され、前記鍔部の下面と当接して押圧されることによって前記尿捕集部に捕集された前記尿の重量を測定する測定部と
を備える、排尿量測定装置。
【請求項２】
前記鍔部は、
便座の下部に設けられた複数の脚部を通過させる複数の通過部
を備える、請求項１に記載の排尿量測定装置。
【請求項３】
前記測定部は、
荷重を受ける受け部が前記リムの上面よりも高い場所に配置された状態で前記リムの前端部に係止され、
前記鍔部は、
前記リムの前端部よりも前方に延在して前記受け部と当接する前方側延在部分と、前記尿捕集部において前記尿が貯留される貯留部分よりも後方に延在する後方側延在部分とを含む本体部と、
前記本体部における前記後方側延在部分の下面から突出し、前記リムの上面と当接することによって前記本体部を支持する支持部と
を備える、請求項１または２に記載の排尿量測定装置。
【請求項４】
前記後方側延在部分は、
前記リムの左右方向における一方側に載置される第１後方側延在部分と、
前記リムの左右方向における他方側に載置される第２後方側延在部分と
を含み、
前記支持部は、
前記第１後方側延在部分の下面から突出する第１支持部と、
前記第２後方側延在部分の下面から突出する第２支持部と
を含む、請求項３に記載の排尿量測定装置。
【請求項５】
前記支持部は、
少なくとも前記リムの前後方向に沿って凸状となる曲面を有する、請求項３または４に記載の排尿量測定装置。
【請求項６】
前記尿捕集部の下端は、前記ボウル内における溜水面よりも上方に位置する、請求項１〜５のいずれか一つに記載の排尿量測定装置。
【請求項７】
前記尿捕集部の側面に形成され、前記尿捕集部に捕集された前記尿のうち所定水位を超える前記尿を前記ボウル内に排出する尿漏出部
を備える、請求項１〜６のいずれか一つに記載の排尿量測定装置。
【請求項８】
前記尿捕集部は、前記鍔部に対して着脱可能である、請求項１〜７のいずれか一つに記載の排尿量測定装置。
【請求項９】
前記尿捕集部は、水溶性を有する、請求項８に記載の排尿量測定装置。
【発明の詳細な説明】
【技術分野】
【０００１】
本開示は、排尿量測定装置に関する。
【背景技術】
【０００２】
排尿障害のある患者に対して排尿時刻と排尿量をある程度の長期間にわたって継続して記録する排尿記録は、泌尿器科や婦人科の医師が患者の排尿障害状態を把握するために有益な情報とされている。また、手術が必要な患者においても、全身の代謝を管理するために、手術前後の所定期間において実施される排尿記録は、医療と看護の基本として重要な情報とされている。そのため、患者はビーカー等で排尿量を測定して排尿時刻とともに排尿日誌と称される所定の記録帳簿に記録していた。
【０００３】
しかし、排尿障害を持つ患者の場合は排尿回数が多くなることも多く、排尿日誌の記録のための排尿量の測定やビーカー洗浄等の始末が医療／看護従事者の作業的な手間となっていた。また、ビーカーで広範囲に飛散する排尿をすべて採取するのは、特に肉体的な動作自由度が低下している高齢者にとっては至難である。
【０００４】
そこで、排尿量の測定を容易化するための技術が各種提案されている。たとえば、特許文献１には、一般便器での排尿日誌取得を容易化するために、便器を透過するマイクロ波を利用して排泄の継続時間を検出する技術が開示されている。しかし、この方法で測定が可能なデータは排尿時間と尿流速とであり、正確な値として入手したい尿量に対して、仮定しなければならない条件があり、高い精度を得るためには個人差に応じた調整が不可避という問題があった。また、特許文献２には、尿検体の採取を目的とするビーカー等に代わる尿採取容器が開示されている。しかし、この方法も、排泄された尿による水位変化を換算する装置が必要であり、一般的な便器でも測定を可能とすることが困難であるという問題があった。
【先行技術文献】
【特許文献】
【０００５】
【特許文献１】特開２００９−２５８０７８号公報
【特許文献２】特許第５６０１０５１号公報
【発明の概要】
【発明が解決しようとする課題】
【０００６】
本開示は、一般便器でも容易に排尿量を測定することのできる排尿量測定装置を提供することを目的とする。
【課題を解決するための手段】
【０００７】
本開示の一態様に係る排尿量測定装置は、洋風大便器のボウル内に排泄される尿の少なくとも一部を分取して排尿量を測定する排尿量測定装置であって、前記洋風大便器のリムの上面に載置される鍔部と、前記鍔部に取り付けられ、前記ボウル内に配置されて前記尿を捕集する尿捕集部と、前記リムに係止され、前記鍔部の下面と当接して押圧されることによって前記尿捕集部に捕集された前記尿の重量を測定する測定部とを備える。
【０００８】
使用者は、たとえば自宅に設置されている一般便器である洋風大便器のリムに測定部を係止させ、尿捕集部を取り付けた鍔部を上記リムに載置した後で排尿を行う。使用者から排泄された尿は尿捕集部に捕集され、尿捕集部に捕集された尿の重さによって鍔部が沈み込むことで、測定部が尿の重量を測定する。排尿量は、測定部によって測定された尿の重量に基づいて算出される。このように、本開示の一態様に係る排尿量測定装置は、一般便器に容易に取り付けることができ、かつ、排尿後、測定のために尿捕集部を別の場所へ移動させる手間を省略することができる。したがって、本開示の一態様に係る排尿量測定装置によれば、一般便器でも容易に排尿量を測定することができる。
【０００９】
また、前記鍔部は、便座の下部に設けられた複数の脚部を通過させる複数の通過部を備える。
【００１０】
このように、鍔部に複数の通過部を設けることで、便座を下げて排尿を行う場合に、鍔部が便座と接触することを防止することができる。これにより、尿重量の測定において、便座の重量や便座に着座した使用者の体重の影響を排除することができる。したがって、尿重量を精度よく測定することができる。
【００１１】
また、前記測定部は、重量に応じて変位する受け部が前記リムの上面よりも高い場所に配置された状態で前記リムの前端部に係止され、前記鍔部は、前記リムの前端部よりも前方に延在して前記受け部と当接する前方側延在部分と、前記尿捕集部において前記尿が貯留される貯留部分よりも後方に延在する後方側延在部分とを含む本体部と、前記本体部における前記後方側延在部分の下面から突出し、前記リムの上面と当接することによって前記本体部を支持する支持部とを備える。
【００１２】
リムの上面は、一般的な陶器製の便器においては、製造誤差等により必ずしも水平ではないため、鍔部の姿勢変化の支点となる支持部を設けることで、尿重量を精度よく測定することができる。また、力点として機能する尿の貯留部分よりも後方に支持部を配置するとともに、貯留部分よりも前方に位置するリムの前端部よりも前方に、作用点として機能する前方側延在部分を配置することで、測定部の受け部に対して力が伝わり易くなることから、尿重量を精度よく測定することができる。
【００１３】
また、前記後方側延在部分は、前記リムの左右方向における一方側に載置される第１後方側延在部分と、前記リムの左右方向における他方側に載置される第２後方側延在部分とを含み、前記支持部は、前記第１後方側延在部分の下面から突出する第１支持部と、前記第２後方側延在部分の下面から突出する第２支持部とを含む。
【００１４】
鍔部の左右両側方に支持部が設けられることで、鍔部を安定して姿勢変化させることができる。これにより、測定のばらつきを抑制することができるため、尿重量を精度よく測定することができる。
【００１５】
また、前記支持部は、少なくとも前記リムの前後方向に沿って凸状となる曲面を有する。
【００１６】
支持部を曲面状に形成することで、尿捕集部で尿を受けた場合に鍔部を回動させ易くなるため、尿重量を精度よく測定することができる。
【００１７】
また、前記尿捕集部の下端は、前記ボウル内における溜水面よりも上方に位置する。
【００１８】
これにより、尿捕集部が溜水に沈み込むことで測定部の測定結果が実際の尿重量よりも低くなることを防止することができる。したがって、尿重量を精度よく測定することができる。
【００１９】
また、本開示の一態様に係る排尿量測定装置は、前記尿捕集部の側面に形成され、前記尿捕集部に捕集された前記尿のうち所定水位を超える前記尿を前記ボウル内に排出する尿漏出部を備える。
【００２０】
尿漏出部を備えることで、尿捕集部の深さを小さくすることができる。これにより、尿捕集部が溜水に接触しにくくなるため、尿捕集部が溜水に沈み込むことで測定部の測定結果が実際の尿重量よりも低くなることを防止することができる。したがって、尿重量を精度よく測定することができる。また、尿捕集部内の尿の水位が上昇することによって尿捕集部内の尿が人体に接触してしまうことを防止することができる。
【００２１】
また、前記尿捕集部は、前記鍔部に対して着脱可能である。
【００２２】
このように、尿捕集部を鍔部に対して着脱自在とすることで、たとえば、排尿量の測定を行わない場合であっても、鍔部をリムに載置した状態のまま排泄行為を行うことができる。
【００２３】
また、前記尿捕集部は、水溶性を有する。
【００２４】
これにより、使用者は、たとえば、排尿量の測定を終えた後、尿捕集部をボウル内に投棄して便器洗浄行為で下水道に排出することができる。したがって、廃却処理が容易である。
【発明の効果】
【００２５】
本開示によれば、一般便器でも容易に排尿量を測定することができる。
【図面の簡単な説明】
【００２６】
【図１】図１は、本開示の一実施形態に係る排尿量測定装置を洋風便器に設置した状態を示す模式的な斜視図である。
【図２】図２は、本開示の一実施形態に係る鍔部および尿捕集部の外観を示す模式的な斜視図である。
【図３】図３は、本開示の一実施形態に係る排尿量測定装置を洋風便器に設置した状態を示す模式的な断面図である。
【発明を実施するための形態】
【００２７】
以下に、本開示に係る排尿量測定装置を実施するための形態（以下、「実施形態」と記載する）について図面を参照しつつ詳細に説明する。なお、この実施形態により本開示に係る排尿量測定装置が限定されるものではない。また、各実施形態は、処理内容を矛盾させない範囲で適宜組み合わせることが可能である。また、以下の各実施形態において同一の部位には同一の符号を付し、重複する説明は省略される。
【００２８】
図１は、本開示の一実施形態に係る排尿量測定装置を洋風便器に設置した状態を示す模式的な斜視図である。また、図２は、本開示の一実施形態に係る鍔部および尿捕集部の外観を示す模式的な斜視図である。また、図３は、本開示の一実施形態に係る排尿量測定装置を洋風便器に設置した状態を示す模式的な断面図である。
【００２９】
なお、本明細書においては、鉛直上向き方向を「上方」、鉛直下向き方向を「下方」と定義する。また、洋風大便器１に着座した使用者から見た前方、後方、左方、右方をそれぞれ「前方」、「後方」、「左方」、「右方」と定義する。また、図３においては、ベース部１４０を省略して示している。
【００３０】
図１に示すように、本開示の一態様に係る排尿量測定装置１００は、洋風大便器１に取り付けられ、洋風大便器１のボウル１１内に排泄される尿の少なくとも一部を分取して排尿量を測定する。具体的には、排尿量測定装置１００は、分取した尿の重量（以下、「尿重量」と記載する）および重量変化（尿を受ける際の振動も含む）が生じている時間を測定することによって排尿量および尿流率を算出する。なお、排尿量とは、使用者が１回の排尿行為で排泄する尿の量のことであり、尿流率とは、排尿量を尿流時間で除算した値のことである。排尿量測定装置１００は、重量変化が生じている時間を測定することで尿流時間を取得する。
【００３１】
洋風大便器１は、陶器または樹脂で形成され、排泄物を受けるボウル１１と、ボウル１１の上縁に設けられたリム１３とを備える。
【００３２】
洋風大便器１の上部後方には、衛生洗浄装置２が配置される。衛生洗浄装置２は、本体部２０と、本体部２０に対して開閉可能に取り付けられた便座２１とを備える。便座２１の下面には、複数（ここでは４つ）の脚部２２が設けられており、複数の脚部２２は、便座２１が下ろされた場合に、リム１３の上面に当接することで、便座２１をリム１３から離隔させた状態で支持する。
【００３３】
図１に示すように、排尿量測定装置１００は、鍔部１１０と、尿捕集部１２０と、測定部１３０と、ベース部１４０と、制御部１５０と、リモコン１６０と、プリンタ１７０とを備える。
【００３４】
鍔部１１０は、たとえば樹脂で形成され、リム１３の上面に載置される。図１および図２に示すように、鍔部１１０は、鍔部本体１１１と、複数（ここでは２つ）の支持部１１２ａ，１１２ｂとを備える。
【００３５】
鍔部本体１１１は、リム１３の上面の形状に合わせて平面視略Ｕ字状に形成される。鍔部本体１１１は、リム１３の前端部よりも前方に延在して、後述する測定部１３０の受け部１３１ａ（図３参照）と当接する前方側延在部分１１１ａと、尿捕集部１２０において尿が貯留される貯留部分１２１（図２参照）よりも後方に延在する後方側延在部分１１１ｂ，１１１ｃとを含む。なお、後方側延在部分１１１ｂは、リム１３の左右方向における一方側（ここでは、右方側）に載置される第１後方側延在部分に相当し、後方側延在部分１１１ｃは、リム１３の左右方向における他方側（ここでは、左側）に載置される第２後方側延在部分に相当する。
【００３６】
鍔部本体１１１は、便座２１の下部に設けられた複数の脚部２２を通過させる複数（ここでは４つ）の通過部１１１ｄを有する。このように、鍔部本体１１１に複数の通過部１１１ｄを設けることで、便座２１を下げて排尿を行う場合に、鍔部本体１１１が便座２１と接触することを防止することができる。これにより、測定部１３０を用いて尿重量を測定する際に、便座２１の重量や便座２１に着座した使用者の体重の影響を排除することができる。したがって、尿重量を精度よく測定することができる。
【００３７】
なお、ここでは、各通過部１１１ｄが鍔部本体１１１の外周部を切り欠いた切欠部である場合を例示するが、各通過部１１１ｄは、たとえば鍔部本体１１１に形成された開口であってもよい。
【００３８】
支持部１１２ａ，１１２ｂは、後方側延在部分１１１ｂ，１１１ｃの下面から突出し、リム１３の上面と当接することによって鍔部本体１１１を支持する。
【００３９】
図３に示すように、鍔部本体１１１は、前方側延在部分１１１ａにおいて測定部１３０の受け部１３１ａに支持され、後方側延在部分１１１ｂ，１１１ｃにおいて支持部１１２ａ，１１２ｂに支持される。これにより、鍔部本体１１１は、リム１３から浮いた状態となっている。
【００４０】
尿捕集部１２０に尿が貯留されると、鍔部本体１１１は、貯留された尿の重さによって支持部１１２ａ，１１２ｂを支点に回動し、測定部１３０の受け部１３１ａを押圧する。このように、支持部１１２ａ，１１２ｂは、鍔部本体１１１の姿勢変化の支点として機能する。一般的な陶器製の便器において、リム１３の上面は、製造誤差等により必ずしも水平ではないため、鍔部本体１１１の姿勢変化の支点となる支持部１１２ａ，１１２ｂを設けることで、尿重量を精度よく測定することができる。また、力点として機能する尿の貯留部分１２１よりも後方に支持部１１２ａ，１１２ｂを配置するとともに、貯留部分１２１よりも前方に位置するリム１３の前端部よりも前方に、作用点として機能する前方側延在部分１１１ａを配置することで、測定部１３０の受け部１３１ａに対して力が伝わり易くなることから、尿重量を精度よく測定することができる。
【００４１】
支持部１１２ａ（第１支持部の一例）は、後方側延在部分１１１ｂの下面から突出し、支持部１１２ｂ（第２支持部の一例）は、後方側延在部分１１１ｃの下面から突出する。このように、鍔部本体１１１の左右両側方に支持部１１２ａ，１１２ｂを設けることで、鍔部本体１１１を安定して姿勢変化させることができる。これにより、測定のばらつきを抑制することができるため、尿重量を精度よく測定することができる。
【００４２】
図３に示すように、支持部１１２ａ，１１２ｂは、少なくともリム１３の前後方向に沿って凸状となる曲面を有し、かかる曲面においてリム１３の上面と当接する。このように、支持部１１２ａ，１１２ｂを曲面状に形成することで、尿捕集部１２０で尿を受けた場合に鍔部１１０を回動させ易くなるため、尿重量を精度よく測定することができる。
【００４３】
たとえば、支持部１１２ａ，１１２ｂは、リム１３の前後方向に沿って凸状となる曲面がリム１３の左右方向に沿って延在する半円柱形状を有していてもよい。また、支持部１１２ａ，１１２ｂは、リム１３の前後方向に沿って凸状となり、かつ、リム１３の左右方向に沿って凸状となる半球面形状を有していてもよい。支持部１１２ａ，１１２ｂを半球面状に形成することで、支持部１１２ａ，１１２ｂとリム１３との接触面積を小さくすることができる。これにより、鍔部１１０が回動し易くなるため、尿重量をより精度よく測定することができる。
【００４４】
尿捕集部１２０は、鍔部１１０に取り付けられ、ボウル１１内に配置されて尿を捕集する部材であり、たとえば袋状を有する。なお、尿捕集部１２０は、尿を捕集し且つ貯留することのできる形状であればよく、必ずしも袋状であることを要しない。
【００４５】
図３に示すように、尿捕集部１２０は、鍔部１１０に取り付けられた状態において、ボウル１１内の溜水面Ｓよりも上方に位置する。これにより、尿捕集部１２０が溜水に沈み込むことで測定部１３０の測定結果が実際の尿重量よりも低くなることを防止することができる。したがって、尿重量を精度よく測定することができる。なお、溜水面Ｓとは、ボウル１１内に貯留された水（溜水）の水面のことである。
【００４６】
尿捕集部１２０の側面には、尿捕集部１２０に捕集された尿のうち所定水位を超える尿をボウル１１内に排出する尿漏出部１２２が設けられる。具体的には、尿漏出部１２２は、尿捕集部１２０の側面に形成される流出口であり、使用者から排泄された尿は、尿捕集部１２０によって捕集された後、尿漏出部１２２の下端に到達するまで貯留される。一方、尿漏出部１２２の下端に到達した以降の尿は、尿漏出部１２２からボウル１１内に排出される。これにより、尿捕集部１２０の貯留部分１２１すなわち尿捕集部１２０の底部から尿漏出部１２２の下端までの部分に一定量の尿が貯留された状態になる。
【００４７】
このように、尿捕集部１２０に尿漏出部１２２を設けることで、尿捕集部１２０の深さを小さくすることができる。これにより、尿捕集部１２０が溜水に接触し難くなるため、尿捕集部１２０が溜水に沈み込むことで測定部１３０の測定結果が実際の尿重量よりも低くなることを防止することができる。したがって、尿重量を精度よく測定することができる。また、尿捕集部１２０内の尿の水位が上昇することによって尿捕集部１２０内の尿が人体に接触してしまうことを防止することができる。
【００４８】
なお、「所定水位」とは、尿捕集部１２０の底部から尿漏出部１２２の下端までの水位である。また、ここでは、尿漏出部１２２が尿捕集部１２０の前方側の側面に設けられる場合の例を示したが、尿漏出部１２２は、尿捕集部１２０の後方側の側面に設けられてもよい。
【００４９】
尿捕集部１２０は、鍔部１１０に対して着脱自在である。たとえば、尿捕集部１２０は、水溶性を有する複数の貼着部材１１１ｅによって鍔部本体１１１に貼り付けられることにより、鍔部１１０に取り付けられる。また、鍔部本体１１１に複数の係止フックを設け、かかる係止フックに尿捕集部１２０を係止することとしてもよい。なお、尿捕集部１２０の着脱方法は上記の例に限定されない。
【００５０】
このように、尿捕集部１２０を鍔部１１０に対して着脱自在とすることで、たとえば、排尿量の測定を行わない場合であっても、鍔部１１０をリム１３に載置した状態のまま排泄行為を行うことができる。
【００５１】
また、尿捕集部１２０は、たとえば紙で形成され、水溶性を有する。これにより、使用者は、排尿後、尿捕集部１２０をボウル１１内に投棄して便器洗浄行為で下水道に排出することができる。したがって、廃却処理が容易である。
【００５２】
図１および図３に示すように、測定部１３０は、リム１３に係止され、鍔部１１０の下面と当接して押圧されることによって尿捕集部１２０に捕集された尿重量を測定する。
【００５３】
測定部１３０は、測定部本体１３１と、係止部１３２とを備える。測定部本体１３１は、たとえば電子はかりであり、測定対象物の荷重を受ける受け部１３１ａを上部に備え、受け部１３１ａが受ける荷重を測定する。なお、測定部１３０は、たとえば、支点となる支持部１１２ａ，１１２ｂ、力点となる貯留部分１２１、作用点となる前方側延在部分１１１ａ（または受け部１３１ａ）の位置関係に基づき、貯留部分１２１に貯留された尿から受ける荷重を尿重量に変換してもよい。また、この変換処理は、制御部１５０において行われてもよい。
【００５４】
係止部１３２は、受け部１３１ａがリム１３の上面よりも高い場所に配置された状態で測定部本体１３１をリム１３の前端部に係止する。
【００５５】
具体的には、図３に示すように、係止部１３２は、鍔部１１０の前方側延在部分１１１ａが測定部１３０によって支持され、鍔部１１０の後方側延在部分１１１ｂ，１１１ｃが支持部１１２ａ，１１２ｂを介してリム１３に支持された状態において、前方側延在部分１１１ａが後方側延在部分１１１ｂ，１１１ｃよりも高くなるように測定部本体１３１をリム１３の前端部に係止する。
【００５６】
これにより、尿捕集部１２０に貯留された尿の重さで鍔部本体１１１が回動した場合に鍔部本体１１１がリム１３の上面に接触することを抑制することができる。したがって、鍔部本体１１１がリム１３の上面に接触することにより測定部１３０による尿の測定に影響が生じることを抑制することができる。
【００５７】
なお、図１および図３に示すように、測定部本体１３１は、リム１３の前端部よりも前方すなわちボウル１１外に配置される。
【００５８】
測定部本体１３１は、図示しない通信部を有しており、通信部を用いて測定結果を制御部１５０に無線送信する。
【００５９】
図１に示すように、ベース部１４０は、たとえばトイレ室の床面に設置されて測定部１３０を支持する。このように、ベース部１４０を備えることで、測定部１３０の安定度を高めることができる。なお、排尿量測定装置１００は、必ずしもベース部１４０を備えることを要しない。
【００６０】
制御部１５０は、たとえば、キャビネット３の内部に配置され、測定部１３０、リモコン１６０およびプリンタ１７０等と無線接続される。制御部１５０は、測定部１３０から尿重量の測定結果を取得する。また、制御部１５０は、測定部１３０から取得した尿重量の測定結果に基づき、尿重量の変化（尿捕集部１２０が尿を受ける際の振動も含む）が生じている時間を尿流時間として判定する。そして、制御部１５０は、尿重量を予め決められた変換式に従って排尿量に変換し、尿流量と尿流時間とに基づいて尿流率を算出する。
【００６１】
なお、制御部１５０は、たとえば、尿捕集部１２０に貯留された尿が一定量に達するまでの時間つまり尿漏出部１２２から溢れ出すまでの尿重量の時間変化に基づいて、尿漏出部１２２から溢れ出た分も含む全尿重量を推定することが可能である。
【００６２】
制御部１５０は、たとえば、リモコン１６０から送信される操作信号に応じて、算出した排尿量および尿流率の情報を含む排尿日誌情報をプリンタ１７０へ送信し、プリンタ１７０から排尿日誌を出力させる。
【００６３】
次に、排尿量測定装置１００の動作について説明する。使用者は、たとえば自宅に設置されている一般便器である洋風大便器１のリム１３に測定部１３０を係止させるとともに、尿捕集部１２０を取り付けた鍔部１１０をリム１３に載置した後、排尿を行う。鍔部本体１１１には、便座２１の脚部２２を通過させる通過部１１１ｄが設けられているため、使用者が便座２１を下ろして排尿を行った場合であっても、鍔部１１０と便座２１とが干渉することはない。
【００６４】
使用者から排泄された尿は、尿捕集部１２０によって捕集された貯留部分１２１に貯留される。また、所定量を超える尿については尿漏出部１２２からボウル１１内へ排出される。
【００６５】
尿捕集部１２０に尿が貯留されると、貯留された尿の重さによって鍔部１１０が支持部１１２ａ，１１２ｂを支点として回動し、測定部１３０の受け部１３１ａを押し下げる。これにより、測定部１３０によって尿の重量が測定される。尿重量の測定結果は、制御部１５０に送信され、制御部１５０において排尿量および尿流率が算出されて、排尿量および尿流率の情報を含む排尿日誌情報が生成される。そして、制御部１５０は、生成した排尿日誌情報を図示しない記憶部に記憶する。
【００６６】
使用者は、排尿を終えると、鍔部１１０から尿捕集部１２０を取り外し、取り外した尿捕集部１２０をボウル１１内へ投棄して便器洗浄行為により下水道に排出する。
【００６７】
ここで、たとえば特許文献２に記載の技術は、便器内部の溜水変化に基づいて尿流量を測定することとしており、溜水水位を測定するための尿流量測定機能を一般の便器に追加することが難しいという問題がある。これに対し、排尿量測定装置１００によれば、尿捕集部１２０や測定部１３０を一般便器に容易に取り付けることができる。また、排尿後、測定のために尿捕集部１２０を別の場所へ移動させる手間を省略することができる。したがって、排尿量測定装置１００によれば、洋風大便器１のような一般便器でも容易に排尿量を測定することができる。
【００６８】
上述してきたように、本開示の一実施形態に係る排尿量測定装置１００は、鍔部１１０と、尿捕集部１２０と、測定部１３０とを備える。鍔部１１０は、洋風大便器１のリム１３の上面に載置される。尿捕集部１２０は、鍔部１１０に取り付けられ、ボウル１１内に配置されて尿を捕集する。測定部１３０は、リム１３に係止され、鍔部１１０の下面と当接して押圧されることによって尿捕集部１２０に捕集された尿の重量を測定する。
【００６９】
したがって、本開示の一実施形態に係る排尿量測定装置１００によれば、一般便器でも容易に排尿量を測定することができる。
【００７０】
上述した実施形態では、尿捕集部１２０が鍔部１１０に対して着脱可能である場合の例を示したが、尿捕集部１２０は、鍔部１１０と一体的に形成されてもよい。この場合、尿捕集部１２０は、樹脂等の非水溶性の部材で形成されることが好ましい。
【００７１】
また、上述した実施形態では、鍔部１１０の左右両側方に支持部１１２ａ，１１２ｂが設けられる場合の例を示したが、支持部１１２ａ，１１２ｂは、鍔部１１０の左右両側方のうち何れか一方にのみ設けられてもよい。また、鍔部１１０は、必ずしも支持部１１２ａ，１１２ｂを備えることを要しない。
【００７２】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００７３】
１  洋風大便器
１１  ボウル
１３  リム
２１  便座
２２  脚部
１００  排尿量測定装置
１１０  鍔部
１１１  鍔部本体
１１１ａ  前方側延在部分
１１１ｂ，１１１ｃ  後方側延在部分
１１１ｄ  通過部
１１２ａ，１１２ｂ  支持部
１２０  尿捕集部
１２１  貯留部分
１２２  尿漏出部
１３０  測定部
１３１  測定部本体
１３１ａ  受け部
１３２  係止部
１５０  制御部
【図１】
2019148444.tif 000003
【図２】
2019148444.tif 000004
【図３】
2019148444.tif 000005